(57)【特許請求の範囲】
【請求項１】
河川等の給水源に配置した水中ポンプによって原水を汲み上げ、その混入物を分離して土木工事用処理水を抽出するその処理方法において、
上記水中ポンプの吐出側に、水中ポンプと汲み上げ管との間に介設され水中に配置される、固体と液体とを分離する固液分離機を介設し、前記水中ポンプで汲み上げた原水から、固液分離機によって混入物を分離して原水中に排出すると共に、混入物が分離された処理水を抽出することを特徴とする土木工事用水の処理方法。
【請求項２】
前記水中ポンプと固液分離機との間に分離可能に接続する継手等の接続手段を設けてなることを特徴とする請求項１記載の土木工事用水の処理方法。
【発明の詳細な説明】
【０００１】
【発明の属する技術分野】
本発明は、水中ポンプによって汲み上げた原水から抽出水を得る土木工事用水の処理方法に関し、特に、混入物の分離廃棄処理を要することなく、原水から抽出水を得ることができる土木工事用水の処理方法に関する。
【０００２】
【従来の技術】
土木工事等に必要な水を河川水によって賄う場合は、図５に示すように、水中ポンプ１０１によりその汲み上げ管１０１ａを介して陸上の受水槽１０２に原水を受け、この受水槽１０２で原水中の混入物１０３を分離し、また、濾過装置１０４等を介設して構成される水処理装置を要する。処理後の抽出水は、送水ポンプ１０５により杭圧入用のジェット水の供給管１０６等に送られる。
【０００３】
【発明が解決しようとする課題】
しかしながら、分離した上記混入物は、一般に、砂、藻、枝葉の他、藁屑やビニール片等の雑多な流入屑であることから、水槽に溜まった沈殿物や濾過装置による分離物は、定期的に取り出して水抜き固化した後に、その内容物に応じた廃棄処理が強いられていた。
また、上記受水槽は、対流攪拌を抑えて混入物を沈殿分離するために、送水ポンプの吐出量に応じた十分な容量を要することから、その配置スペースのために作業領域にしわ寄せが及ぶという問題、その固定配置に伴う対応性の問題等が生じていた。
【０００４】
本発明の目的は、原水混入物の廃棄処理を要することなく、河川等の給水源の原水から抽出水を得るための土木工事用水の処理方法を提供することにある。
【０００５】
【課題を解決するための手段】
上記課題を解決するために、本発明は、原水中の混入物を集積することなく土木工事用水を抽出処理することをその要旨とする。その具体的な解決手段は以下のとおりである。
【０００６】
土木工事用水の処理方法は、河川水中に配置した水中ポンプによって原水を汲み上げ、その混入物を分離して土木工事用処理水を抽出する工程からなり、その特徴点は、水中ポンプの吐出側に、水中ポンプと汲み上げ管との間に介設され水中に配置される、固体と液体とを分離する固液分離機を介設し、前記水中ポンプで汲み上げた原水から、固液分離機によって混入物を分離して原水中に排出すると共に、混入物が分離された処理水を抽出することにある。
これにより、原水中の混入物は、集積されることなく原水中に維持されたままで抽出水が供給される。したがって、本発明によれば、分離混入物の乾燥固化を要することなく原水のみを抽出することができるので、環境条件変化を最小限度に抑えつつ混入物のない土木工事用の処理水を供給することができる。また、沈殿分離用の大型受水槽を要しないことから、装置全体がコンパクト化される。
【０００７】
また前記水中ポンプと固液分離機との間に分離可能に接続する継手等の接続手段を設けることにより、分解して容易に運搬移動できるので、状況に応じた機動的な処理装置の配置が可能となる。
【０００８】
【発明の実施の形態】
本発明の実施の形態について図面を参照しつつ以下に説明する。
図１は本発明に使用する土木工事用水の処理装置を示す接続構成図である。
この処理装置は、河川水中に配置するべき水中ポンプ１と、この水中ポンプ１の汲み上げ管４を含む吐出系からなる吐出側に介設した固液分離機２と、水中ポンプ１の汲み上げ管４を陸上で受ける受水槽５とから構成する。この受水槽５から送水ポンプ６と供給管７を介してジェット噴射装置等に接続する。
【０００９】
上記固液分離機２は、水中ポンプ１から受けた原水について固体成分を分離し、その抽出水を受水槽５側に送り出すように接続し、分離された固体成分を排出するドレン口３を原水中に開口するように設置する。
【００１０】
上記構成の土木工事用水の処理装置は、河川水中に水中ポンプ１と固液分離機２とを配置することにより、水中ポンプ１が吸い込み部１ａから原水を取り込み、汲み上げ管４を介して受水槽５に送る。
この時、固液分離機２は、水中ポンプ１から受けた原水中の混入物を分離するとともに、ドレン口３から同混入物を元の原水中に還流させる。すなわち、受水槽５は、混入物が分離された抽出水のみを受ける一方、原水中の混入物は、固液分離機２によって分離された後に、集積されることなくそのまま原水中に戻される。
また、上記吸い込み部１ａは、固体を吸込みにくい様にするために出来るだけ水面に近いところに設けることが好ましい。
【００１１】
したがって、上記土木工事用水の処理装置は、分離混入物の乾燥固化を要することなく原水のみを抽出することができるので、環境条件変化を最小限度に抑えつつ混入物のない土木工事用の処理水を抽出供給することができる。
また、上記処理装置は、従来の大型沈殿槽を要することなく、最小限度の受水槽で足り、さらに、図２に示すように、受水槽５に受水部５ａを画成した上で送水ポンプ６を内設することも可能となるため、装置全体がコンパクト化され、省スペースにより作業領域の配置上の自由度が向上する。さらに、固液分離機２と水中ポンプ１を着脱可能に連通する継手等からなる接続手段１ｂを介して構成することにより、分解によって運搬移動が容易となるので、工事工程の進展状況に応じた機動的な装置配置が可能となる。
【００１２】
図３は土木工事用水の処理装置を水面に設置した例を示す要部接続構成図であり、水中ポンプ１と固液分離機２をフロート１１によって水面に設置した例である。
水中ポンプ１は、その吸い込み部１ａを原水中に配置することを条件とし、また、固液分離機２は、ドレン口３を原水中に開口することを条件とし、水中ポンプ１から受水槽５に向かう汲み上げ管４を接続してフロート１１上に構成する。
このように構成することにより、設置場所の水深が大きい場合においても、前記同様に、原水混入物の廃棄処理を要することなく、河川水等の原水から土木工事用水の抽出水を得ることができる。
【００１３】
以上に述べたとおり、上述の固液分離機は、吐出側に介設しつつドレン口を原水中に開口するものであれば、その配置を問わないことが明らかである。また、構成の自由度により、図４に示すよう、固液分離機を水中ポンプと一体化した分離機一体型ポンプ２１としてユニット構成とすることもできる。
したがって、上記処理装置は、沈殿分離用の大型受水槽、分離廃棄物のスペースを要することなくコンパクト化され、かつ、その設置上の自由度により、現場状況に柔軟に対応しうるという効果を奏するものである。
【００１４】
【発明の効果】
本発明の土木工事用水の処理方法は以下の効果を奏する。
原水中の混入物は、集積されることなく原水中に維持されたままで抽出水が供給されることから、分離混入物の乾燥固化を要することなく原水のみを抽出することができるので、環境条件変化を最小限度に抑えつつ混入物のない土木工事用の処理水を供給することができる。
また、従来の大型沈殿槽を要することなく、最小限度の受水槽で足り、さらに同受水槽に送水ポンプを内設することも可能となることから、装置全体がコンパクト化され、省スペースにより作業領域の配置上の自由度が向上する上、固液分離機と水中ポンプを着脱可能に構成すれば、運搬移動が容易となるので、状況に応じた機動的な処理装置の配置が可能となる。
【図面の簡単な説明】
【図１】本発明の土木工事用水の処理装置を示す接続構成図
【図２】本発明の土木工事用水の処理装置に送水ポンプを内設した例を示す接続構成図
【図３】本発明の土木工事用水の処理装置を水面に設置した例を示す要部機能構成図
【図４】本発明の土木工事用水の処理装置の要部一体の構成例を示す要部機能構成図
【図５】従来の土木工事用水の処理装置の接続構成図
【符号の説明】
１    水中ポンプ
１ａ  吸い込み部
１ｂ  継手（接続手段）
２    固液分離機
４    汲み上げ管（吐出系）
５    受水槽
５ａ  受水部
１１    フロート
２１    分離機一体型ポンプ
【図１】
0004605898.tif 000002
【図２】
0004605898.tif 000003
【図３】
0004605898.tif 000004
【図４】
0004605898.tif 000005
【図５】
0004605898.tif 000006